(57)【要約】【課題】本発明はシグナルトレース情報を送信する方法を提供した。【解決手段】この方法は、シグナルトレース情報に複数本のシグナルトレースに対応するシグナルトレース配置パラメーターを運ぶことと、シグナルトレース情報を送信し、シグナルトレースをアクティブにし又はシグナルトレースを維持することとを含む。更に、本発明はシグナルトレース情報を送信する装置を提供した。この方法及び装置がＳ１インタフェースのシグナルインタラクション負担を低減でき、システムの性能を上げた。【選択図】図３
2013522979.tif 000002
【特許請求の範囲】
【請求項１】
シグナルトレース情報に複数本のシグナルトレースに対応するシグナルトレース配置パラメーターを運ぶことと、
前記シグナルトレース情報を送信し、シグナルトレースをアクティブにし又はシグナルトレースを維持することと、
を含むことを特徴とするシグナルトレース情報の送信方法。
【請求項２】
前記シグナルトレース情報における情報エレメントフォーマットを配列の形式に設定することで、前記複数本のシグナルトレースに対応する前記シグナルトレース配置パラメーターを運ぶことを特徴とする請求項１に記載の方法。
【請求項３】
前記複数本のシグナルトレースに対応するユーザ装置はＸ２インタフェースハンドオーバを行い、前記シグナルトレース情報はＸ２インタフェースのハンドオーバ要求メッセージであり、前記シグナルトレース情報の送信は、
ハンドオーバのソース発展型基地局が前記ハンドオーバ要求メッセージをハンドオーバの目的発展型基地局に送信し、前記ユーザ装置のシグナルトレースを維持することを含むことを特徴とする請求項１に記載の方法。
【請求項４】
前記複数本のシグナルトレースに対応するユーザ装置はＳ１インタフェースハンドオーバを行い、前記シグナルトレース情報がＳ１インタフェースのハンドオーバ要求メッセージであり、前記シグナルトレース情報の送信は、
移動管理実体ＭＭＥが前記ハンドオーバ要求メッセージをハンドオーバの目的発展型基地局に送信し、前記ユーザ装置のシグナルトレースを維持することを含むことを特徴とする請求項１に記載の方法。
【請求項５】
前記複数本のシグナルトレースに対応するユーザ装置がＳ１リンクをセットアップせず、前記シグナルトレース情報はシグナルトレース起動メッセージ又はコンテクストセットアップ要求メッセージを含み、前記シグナルトレース情報の送信は、
ＭＭＥは前記ユーザ装置がＳ１リンクをセットアップして成功した場合に前記シグナルトレースメッセージを前記ユーザ装置に対応する発展型基地局に送信し、前記ユーザ装置のシグナルトレースをアクティブにすることを含むことを特徴とする請求項１に記載の方法。
【請求項６】
シグナルトレース情報におけるトレースアクティブ情報エレメントフォーマットを配列の形式に設定することで、前記複数本のシグナルトレースに対応する前記シグナルトレース配置パラメーターを運ぶことを特徴とする請求項３〜５のいずれか１項に記載の方法。
【請求項７】
前記複数本のシグナルトレースはあるセルでアクティブにされ、前記シグナルトレース情報がセルトレースメッセージであり、前記シグナルトレース情報の送信は、
前記あるセルに対応する発展型基地局が前記セルトレースメッセージをＭＭＥに送信し、前記ＭＭＥが前記あるセルでのユーザ装置のシグナルトレースをアクティブにすることを特徴とする請求項１に記載の方法。
【請求項８】
シグナルトレース情報における発展型通用移動通信システム陸地無線アクセスネットワークＥ−ＵＴＲＡＮトレース識別子ＩＤ及びシグナル収集実体のインターネットワークプロトコルＩＰアドレス情報エレメントフォーマットを配列の形式に設定することで、前記複数本のシグナルトレースに対応する前記シグナルトレース配置パラメーターを運ぶことを特徴とする請求項７に記載の方法。
【請求項９】
シグナルトレース情報に複数本のシグナルトレースに対応するシグナルトレース配置パラメーターを運ぶための設定モジュールと、
前記シグナルトレース情報を送信してシグナルトレースをアクティブにし又はシグナルトレースを維持する送信モジュールと、
を含むことを特徴とするシグナルトレース情報の送信装置。
【請求項１０】
前記設定モジュールは前記シグナルトレース情報の情報エレメントフォーマットを配列の形式に設定することで、複数本のシグナルトレースに対応するシグナルトレース配置パラメーターを運ぶことを特徴とする請求項９に記載の装置。
【発明の詳細な説明】
【技術分野】
【０００１】
本発明は通信分野に関し、具体的には、シグナルトレース情報の送信方法及び装置に関する。
【背景技術】
【０００２】
通信システム全ネットワークエレメントシグナルトレース機能（ＴＲＡＣＥ）の目的は、あるセル内のすべてのユーザ端末（Ｕｓｅｒ  Ｅｑｕｉｐｍｅｎｔ，ＵＥと略称）又はある指定ＵＥのシグナル情報をトレースし、これで問題を検査・定位すること及びシステム最適化分析等に便利である。
【０００３】
関連技術において、管理又はシグナル制御によるＴＲＡＣＥシグナルトレースのアクティブ及びアクティブ解除のプロセスを定義し、トレース対象は１つ又は複数のセルでよく、１つ又は複数の指定ＵＥでもよい。
【０００４】
管理の方式に基づいて１つ又は複数のセルに対してシグナルトレースをアクティブにするプロセスは、以下のように実現される。あるセルのシグナルトレースをアクティブにすると、このアクティブにしたセルにおいてすべての存在したＵＥ及び後続きの新たにアクセスするＵＥにとって、発展型基地局（Ｅ−ＵＴＲＡＮ  Ｎｏｄｅ  Ｂ，ｅＮＢと略称）はＣＥＬＬ  ＴＲＡＦＦＩＣ  ＴＲＡＣＥ（セルシグナルトレース）メッセージを移動管理実体（Ｍｏｂｉｌｉｔｙ  Ｍａｎａｇｅｍｅｎｔ  Ｅｎｔｉｔｙ，ＭＭＥと略称）に送信しなければならなく、そして配置したシグナルトレースパラメーター要求に応じてシグナルをシグナル収集実体に送信する。
【０００５】
それとともに、管理又はシグナルに基づく方式によって１つ又は複数の指定ＵＥに対するシグナルトレースをアクティブにしてもよい。シグナルに基づくアクティブ方式にとって、
１）ｅＮＢはＭＭＥが送信したＴＲＡＣＥ  ＳＴＡＲＴ（シグナルトレース起動）メッセージを受信すると、メッセージにおけるシグナルトレースパラメーター配置に応じてシグナルトレースをすぐにアクティブにすること、
２）ｅＮＢはＭＭＥが送信したＩＮＩＴＩＡＬ  ＣＯＮＴＥＸＴ  ＳＥＴＵＰ  ＲＥＱＵＥＳＴ（最初コンテクストセットアップ要求）メッセージを受信し、メッセージにＴｒａｃｅ  Ａｃｔｉｖａｔｉｏｎ（トレースアクティブ）情報エレメント（セル）を運ぶと、情報エレメントにおけるシグナルトレースパラメーター配置に応じてシグナルトレースをすぐにアクティブにすること、
３）ｅＮＢはＸ２インタフェースのＨＡＮＤＯＶＥＲ  ＲＥＱＵＥＳＴ（ハンドオーバ要求）メッセージを受信し、メッセージにＴｒａｃｅ  Ａｃｔｉｖａｔｉｏｎ情報エレメントを運ぶと、情報エレメントにおけるシグナルトレースパラメーター配置に応じてシグナルトレースをすぐにアクティブにすること、
４）ｅＮＢはＳ１インタフェースのＨＡＮＤＯＶＥＲ  ＲＥＱＵＥＳＴ（ハンドオーバ要求）メッセージを受信し、メッセージにＴｒａｃｅ  Ａｃｔｉｖａｔｉｏｎ情報エレメントを運ぶと、情報エレメントにおけるシグナルトレースパラメーター配置に応じてシグナルトレースをすぐにアクティブにすること、を含む。
【０００６】
ここで、シグナルトレース配置パラメーター（Ｔｒａｃｅ  Ａｃｔｉｖａｔｉｏｎ情報エレメントに位置する）は、
１）は、Ｔｒａｃｅ  Ｒｅｆｅｒｅｎｃｅ（トレース任務識別子）及びＴｒａｃｅ  Ｒｅｃｏｒｄｉｎｇ  Ｓｅｓｓｉｏｎ  Ｒｅｆｅｒｅｎｃｅ（トレース記録識別子）から構成され、Ｅ−ＵＴＲＡＮ内で唯一のトレースを標識する発展型通用移動通信システム陸地無線アクセスネットワーク（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ  Ｔｅｒｒｅｓｔｒｉａｌ  Ｒａｄｉｏ  Ａｃｃｅｓｓ  Ｎｅｔｗｏｒｋ、Ｅ−ＵＴＲＡＮと略称）  Ｔｒａｃｅ  ＩＤ（トレースＩＤ）と、
２）どのインタフェース上のシグナルをトレースするかを指示し、Ｓ１−ＭＭＥ、Ｘ２、Ｕｕ又は他のインタフェースでよいＩｎｔｅｒｆａｃｅｓ  Ｔｏ  Ｔｒａｃｅ（トレースインタフェース）と、
３）シグナルが報告した内容形式を指示し、浅層、中層、深層、メーカーカスタム浅層、メーカーカスタム中層及びメーカーカスタム深層の６種形式を含むＴｒａｃｅ  ｄｅｐｔｈ（トレース深み）と、
４）Ｔｒａｃｅ  Ｃｏｌｌｅｃｔｉｏｎ  Ｅｎｔｉｔｙ  ＩＰ  Ａｄｄｒｅｓｓ（シグナル収集実体のＩＰアドレス）と、を含む。
【０００７】
全ネットワークエレメントシグナルトレースにおいて、Ｅ−ＵＴＲＡＮ  Ｔｒａｃｅ  ＩＤを介して唯一のトレースを標識する。同一ＵＥにとって、複数回のシグナルトレース起動メッセージを受信する可能性があり、この場合、メッセージにおけるＴｒａｃｅ  Ｒｅｆｅｒｅｎｃｅが異なっていると、図１に示すよう（図においてＭＭＥがｅＮＢに送信したトレース起動メッセージはＴＲＡＣＥ  ＳＴＡＲＴ又はＩＮＩＴＩＡＬ  ＣＯＮＴＥＸＴ  ＳＥＴＵＰ  ＲＥＱＵＥＳＴメッセージでよい）に、メッセージにおける配置パラメーターに応じて新たなトレースを一回起動する。つまり、同一ＵＥにとって、複数本のトレースが存在する可能性があり、例えば異なるインタフェースにおけるシグナルをトレースし、又は複数の異なっているシグナル収集実体を用いる等。
【０００８】
シグナルトレースをすでに起動したＵＥがＸ２ハンドオーバをすぐ行うと、ハンドオーバのソースｅＮＢが現在のトレース配置パラメーターを保存すべき、それとともに、配置パラメーターをＨＡＮＤＯＶＥＲ  ＲＥＱＵＥＳＴメッセージのＴｒａｃｅ  Ａｃｔｉｖａｔｉｏｎ情報エレメントに持たせてターゲットｅＮＢに送信し、ターゲットｅＮＢがこのメッセージを受信した後、トレースパラメーターの要求に応じてトレースを起動し、これでトレースの連続性を保証する。このＵＥはＳ１ハンドオーバをすぐ行うと、ＭＭＥ側から制御してトレース情報をＨＡＮＤＯＶＥＲ  ＲＥＱＵＥＳＴメッセージのＴｒａｃｅ  Ａｃｔｉｖａｔｉｏｎ情報エレメントに記入してターゲットｅＮＢに送信し、ターゲットｅＮＢがこのメッセージを受信した後、トレースパラメーターの要求に応じてトレースをすぐに起動し、これでトレースの連続性を保証する。
【０００９】
関連技術において、Ｘ２インタフェースＨＡＮＤＯＶＥＲ  ＲＥＱＵＥＳＴメッセージのＴｒａｃｅ  Ａｃｔｉｖａｔｉｏｎ情報エレメントでは、一本のみのトレースの配置情報が存在するため、ＵＥがハンドオーバソースｅＮＢ側で複数本のトレースを起動した場合に、ハンドオーバ後、一本のみのトレースの情報が目的ｅＮＢ側に持たれて起動されるが、他のトレースが中止に迫られる。同様に、Ｓ１ハンドオーバ中、Ｓ１インタフェースＨａｎｄｏｖｅｒ  ＲｅｑｕｅｓｔメッセージのＴｒａｃｅ  Ａｃｔｉｖａｔｉｏｎ情報エレメントでは、一本のみのトレースの配置情報が存在するため、ハンドオーバ後、一本のみのトレース情報が目的ｅＮＢ側に持たれて起動されるが、他のトレースが中止に迫られる。
【００１０】
それとともに、ＭＭＥはＵＥのＳ１接続が存在しない場合に、エレメントマネージャ（Ｅｌｅｍｅｎｔ  Ｍａｎａｇｅｒ,ＥＭと略称）から出した、このＵＥに対してトレース配置命令を受信し、ＭＭＥはこのＵＥのＳ１ロジックリンクがセットアップして成功した場合に、Ｓ１インタフェースのトレース起動メッセージをｅＮＢに送信し、ｅＮＢを指示してこのＵＥに対するシグナルトレースを起動する。Ｓ１インタフェースのトレース起動メッセージはＴＲＡＣＥ  ＳＴＡＲＴ（トレース開始）及びＩＮＩＴＩＡＬ  ＣＯＮＴＥＸＴ  ＳＥＴＵＰ  ＲＥＱＵＥＳＴメッセージを含む。ＴＲＡＣＥ  ＳＴＡＲＴとＩＮＩＴＩＡＬ  ＣＯＮＴＥＸＴ  ＳＥＴＵＰ  ＲＥＱＵＥＳＴメッセージとも一本のみのトレース配置情報を含むため、ＥＭはＵＥ  Ｓ１リンクが存在しない場合に複数本のトレース配置をＭＭＥ（トレース識別子が異なっている）に出すと、ＵＥのＳ１リンクがセットアップした時に、ＭＭＥが複数本のトレース起動メッセージをｅＮＢに連続に出す必要となり、これで複数本のトレース（一本のＩＮＩＴＩＡＬ  ＣＯＮＴＥＸＴ  ＳＥＴＵＰ  ＲＥＱＵＥＳＴメッセージ及び複数本のＴＲＡＣＥ  ＳＴＡＲＴメッセージでよく、又は複数本のＴＲＡＣＥ  ＳＴＡＲＴメッセージを使用する）を起動し、そうすると、Ｓ１インタフェースシグナルインタラクションの負担を増加する。
【００１１】
上記問題はセルに基づくトレースにも存在し、ＣＥＬＬ  ＴＲＡＦＦＩＣ  ＴＲＡＣＥメッセージにも１セットのトレース配置パラメーターを運び、同一セルＥＭに対して配置した複数本のトレースがアクティブにされた場合に、このアクティブセルにおけるすべての既に存在したＵＥと後続いてアクセスするＵＥとも複数本のＣＥＬＬ  ＴＲＡＦＦＩＣ  ＴＲＡＣＥメッセージをＭＭＥに送信する必要となり、すべてのトレースを起動するため、Ｓ１インタフェースのシグナルインタラクション負担を大幅に増加する。
【発明の概要】
【発明が解決しようとする課題】
【００１２】
本発明の主な目的はシグナルトレース情報の送信方法及び装置を提供し、これで上記問題の少なくとも１つを解決することにある。
【００１３】
本発明の一方によれば、シグナルトレース情報に複数本のシグナルトレースに対応するシグナルトレース配置パラメーターを運ぶことと、シグナルトレース情報を送信し、シグナルトレースをアクティブにし又はシグナルトレースを維持することとを含むシグナルトレース情報の送信方法を提供した。
【００１４】
更に、シグナルトレース情報における情報エレメントフォーマットを配列の形式に設定して複数本のシグナルトレースに対応するシグナルトレース配置パラメーターを運ぶ。
【００１５】
更に、複数本のシグナルトレースに対応するユーザ装置はＸ２インタフェースハンドオーバを行い、シグナルトレース情報はＸ２インタフェースのハンドオーバ要求メッセージであり、シグナルトレース情報の送信は、ハンドオーバのソース発展型基地局がハンドオーバ要求メッセージをハンドオーバの目的発展型基地局に送信し、ユーザ装置のシグナルトレースを維持することを含む。
【００１６】
更に、複数本のシグナルトレースに対応するユーザ装置はＳ１インタフェースハンドオーバを行い、シグナルトレース情報がＳ１インタフェースのハンドオーバ要求メッセージであり、シグナルトレース情報の送信は、ＭＭＥがハンドオーバ要求メッセージをハンドオーバの目的発展型基地局に送信し、ユーザ装置のシグナルトレースを維持することを含む。
【００１７】
更に、複数本のシグナルトレースに対応するユーザ装置がＳ１リンクをセットアップしなく、シグナルトレース情報はシグナルトレース起動メッセージ又はコンテクストセットアップ要求メッセージを含み、シグナルトレース情報の送信は、ＭＭＥがユーザ装置がＳ１リンクをセットアップして成功した場合にシグナルトレースメッセージをユーザ装置に対応する発展型基地局に送信し、ユーザ装置のシグナルトレースをアクティブにすることを含む。
【００１８】
更に、シグナルトレース情報におけるトレースアクティブ情報エレメントフォーマットを配列の形式に設定して複数本のシグナルトレースに対応するシグナルトレース配置パラメーターを運ぶ。
【００１９】
更に、複数本のシグナルトレースはあるセルでアクティブにされ、シグナルトレース情報がセルトレースメッセージであり、シグナルトレース情報の送信は、あるセルに対応する発展型基地局がセルトレースメッセージをＭＭＥに送信し、ＭＭＥがあるセルでのユーザ装置のシグナルトレースをアクティブにする。
【００２０】
更に、シグナルトレース情報におけるＥ−ＵＴＲＡＮトレースＩＤ及びシグナル収集実体のＩＰアドレス情報エレメントフォーマットを配列の形式に設定することで、複数本のシグナルトレースに対応するシグナルトレース配置パラメーターを運ぶ。
【００２１】
本発明の他方によれば、シグナルトレース情報に複数本のシグナルトレースに対応するシグナルトレース配置パラメーターを運ぶための設定モジュールと、シグナルトレース情報を送信してシグナルトレースをアクティブにし又はシグナルトレースを維持する送信モジュールとを含むシグナルトレース情報の送信装置を提供した。
【００２２】
更に、設定モジュールはシグナルトレース情報の情報エレメントフォーマットを配列の形式に設定して複数本のシグナルトレースに対応するシグナルトレース配置パラメーターを運ぶ。
【発明の効果】
【００２３】
本発明によれば、シグナルトレース情報に複数本のトレースに対応するシグナルトレース配置パラメーターを運び、送信することによって、関連技術において複数本のシグナルトレースをアクティブにする又は維持する場合にシグナルインタラクションがＳ１インタフェースに対して大きい負担となる問題を解決し、Ｓ１インタフェースのシグナルインタラクション負担を低減し、システムの性能を向上させた。
【図面の簡単な説明】
【００２４】
ここで説明する図面は本発明を理解させるためのもので、本発明の一部を構成し、本発明における実施例と共に本発明を解釈し、本発明を不当に限定するのではない。
【図１】図１は、関連技術によるＵＥが複数本のシグナルトレースを起動する時のフローチャート図である。
【図２】図２は、本発明実施例によるシグナルトレース情報の送信装置の構成ブロック図である。
【図３】図３は、本発明実施例によるシグナルトレース情報の送信方法のフローチャート図である。
【図４】図４は、本発明好適な実施例による複数本のトレース下でのユーザ装置がＸ２ハンドオーバを行うフローチャート図である。
【図５】図５は、本発明好適な実施例による複数本のトレース下でのユーザ装置がＳ１ハンドオーバを行うフローチャート図である。
【図６】図６は、本発明好適な実施例による複数本のトレース下でのユーザ装置がＳ１リンクをセットアップするフローチャート図である。
【図７】図７は、本発明好適な実施例によるセルが複数本のトレース下での処理を起動するフローチャート図。
【発明を実施するための形態】
【００２５】
以下、図面を参照しながら、そして実施例を合わせて本発明を詳しく説明する。なお、衝突しない場合に、本出願における実施例及び実施例における特徴が互いに組み合わされてもよい。
【００２６】
シグナルトレースをアクティブにする必要となる場合に、通常、ｅＮＢからＭＭＥにシグナルトレース情報を送信し、又はＭＭＥからｅＮＢにシグナルトレース情報を送信する。ハンドオーバの端末のシグナルトレースを維持する必要となる場合に、通常、ソースｅＮＢから目的ｅＮＢにシグナルトレース情報を送信し、又はＭＭＥから目的ｅＮＢにシグナルトレース情報を送信し、関連技術において、発明者はシグナルトレース情報に一本のみのトレースに対応するトレース配置パラメーターを運ぶことができるため、メッセージコストが大きくなり、シグナルインタラクションの負担を増加し、以下、実施例が提供したスキームはこれに対して改進した。
【００２７】
図３は本発明実施例によるシグナルトレース情報の送信方法のフロー図チャートであり、この方法は以下のステップを含む。
【００２８】
ステップＳ３０２において、シグナルトレース情報に複数本のシグナルトレースに対応するシグナルトレース配置パラメーターを運ぶ。
【００２９】
ステップＳ３０４において、シグナルトレース情報を送信し、シグナルトレースをアクティブにし又はシグナルトレースを維持する。
【００３０】
関連技術では、シグナルトレース情報が一本のみのシグナルトレースに対応するシグナルトレース配置パラメーターを運ぶことができ、複数本のシグナルトレースが存在すると、シグナルトレースをアクティブにする又は維持する場合に、複数本のシグナルトレース情報を送信する必要となり、Ｓ１インタフェースのシグナルインタラクション負担を増加し、本実施例が提供した方法がシグナルトレースメッセージに複数本のシグナルトレースに対応するシグナルトレース配置パラメーターを運ぶことによって、一本のみの情報を介して現在複数本のシグナルトレースのパラメーターを受信端に通知し、これでＳ１インタフェースのシグナルインタラクション負担を低減し、システムの性能を向上させた。
【００３１】
好ましくは、シグナルトレース情報における情報エレメントフォーマットを配列の形式に設定して複数本のシグナルトレースに対応するシグナルトレース配置パラメーターを運び、配列方式によって複数本のシグナルトレースに対応するシグナルトレース配置パラメーターを運ぶことは、実現が簡単で、情報のフォーマットを小さく修正する。もちろん、他の方式によって複数本のシグナルトレースに対応するシグナルトレース配置パラメーターを運んでもよく、配列の方式に限られない。
【００３２】
以上方法は、以下の幾つかの場合に応用できる。
【００３３】
（１）複数本のシグナルトレースに対応するユーザ装置はＸ２インタフェースハンドオーバを行い、シグナルトレース情報がＸ２インタフェースのハンドオーバ要求（ＨＡＮＤＯＶＥＲ  ＲＥＱＵＥＳＴ）メッセージであり、このシグナルトレース情報を送信するプロセスは、ハンドオーバのソース発展型基地局がハンドオーバ要求メッセージをハンドオーバの目的発展型基地局に送信し、ユーザ装置のシグナルトレースを維持することを含む。
【００３４】
このようにして、ＵＥは複数本のトレースを起動した時にハンドオーバを行う場合に、Ｘ２ハンドオーバであると、ソースｅＮＢがすべてのトレース情報をＨＡＮＤＯＶＥＲ  ＲＥＱＵＥＳＴメッセージに運んで目的ｅＮＢに送信し、そして目的ｅＮＢでトレースを起動し、ハンドオーバ前後トレースの完全性を保証する。
【００３５】
好ましくは、シグナルトレース情報におけるトレースアクティブ（ＴＲＡＣＥ  Ａｃｔｉｖａｔｉｏｎ）情報エレメントフォーマットを配列の形式に設定することで、複数本のシグナルトレースに対応するシグナルトレース配置パラメーターを運んでもよい。この方法が実現しやすく、且つ現有の情報フォーマットに対する修正が小さい。
【００３６】
図４は複数本のトレース下でのＸ２ハンドオーバフローを示し、以下のステップを含む。
【００３７】
ステップ１において、ＵＥ１がソースｅＮＢにアクセスする。
【００３８】
ステップ２において、サービスが持続する間に、ソースｅＮＢがＭＭＥから出したｎ回の（ｎ>１）トレース起動メッセージを受信し、メッセージにおいてＵＥ１に対してシグナルトレースを起動することを指定し、トレース起動メッセージにおけるトレース識別子が異なっているため、ソースｅＮＢが毎回のトレース配置パラメーター要求に応じて、ＵＥ１に対してｎ本のトレースを起動した。
【００３９】
ステップ３において、ソースｅＮＢがＵＥ１が報告した測量報告を受信し、判断によってＸ２インタフェースハンドオーバと判定した。
【００４０】
ステップ４において、ソースｅＮＢがＸ２インタフェースのハンドオーバ要求（ＨＡＮＤＯＶＥＲ  ＲＥＱＵＥＳＴ）メッセージを目的ｅＮＢに送信し、ＨＡＮＤＯＶＥＲ  ＲＥＱＵＥＳＴメッセージにおけるＴｒａｃｅ  Ａｃｔｉｖａｔｉｏｎ情報エレメントを配列形式に修正した後、トレース識別子が１〜ｎのｎ本のトレース配置情報を運んでもよい。
【００４１】
ステップ５において、目的ｅＮＢ側收到ＨＡＮＤＯＶＥＲ  ＲＥＱＵＥＳＴメッセージ後、メッセージにＴｒａｃｅ  Ａｃｔｉｖａｔｉｏｎ情報エレメントを運んだと判断し、それとともに情報エレメントにおけるパラメーター配置に応じて、トレース識別が１〜ｎのＵＥ１のｎ本のトレースを起動する。
【００４２】
ステップ６において、ＵＥ１が目的ｅＮＢにハンドオーバした。
【００４３】
（２）複数本のシグナルトレースに対応するユーザ装置がＳ１インタフェースハンドオーバを行い、シグナルトレース情報がＳ１インタフェースのハンドオーバ要求メッセージ（ＨＡＮＤＯＶＥＲ  ＲＥＱＵＥＳＴ）であり、このシグナルトレース情報を送信するプロセスは、移動管理実体ＭＭＥがハンドオーバ要求メッセージをハンドオーバの目的発展型基地局に送信し、ユーザ装置のシグナルトレースを維持することを含む。
【００４４】
このようにして、ＵＥは複数本のトレースを起動した時にハンドオーバを行う場合に、Ｓ１ハンドオーバであると、ＭＭＥがＵＥがソースｅＮＢで起動したすべてのトレース情報を目的ｅＮＢに通知して、目的ｅＮＢでトレースを起動し、ハンドオーバ前後トレースの完全性を保証する。
【００４５】
好ましくは、シグナルトレース情報におけるトレースアクティブ（ＴＲＡＣＥ  Ａｃｔｉｖａｔｉｏｎ）情報エレメントフォーマットを配列の形式に設定することで、複数本のシグナルトレースに対応するシグナルトレース配置パラメーターを運んでもよい。この方法が実現しやすく、且つ現有の情報フォーマットに対する修正が小さい。
【００４６】
図５は複数本のトレース下でのＳ１ハンドオーバフローチャートを示し、以下のステップを含む。
【００４７】
ステップ１において、ＵＥ１がソースｅＮＢにアクセスする。
【００４８】
ステップ２において、サービスが持続する間に、ソースｅＮＢがＭＭＥから出したｎ回の（ｎ>１）トレース起動メッセージを受信し、メッセージにおいてＵＥ１に対してシグナルトレースを起動することを指定し、トレース起動メッセージにおけるトレース識別子が異なっているため、ソースｅＮＢが毎回のトレース配置パラメーター要求に応じて、ＵＥ１に対してｎ本のトレースを起動した。
【００４９】
ステップ３において、ソースｅＮＢがＵＥ１が報告した測量報告を受信し、判断によってＳ１インタフェースハンドオーバと判定した。
【００５０】
ステップ４において、ソースｅＮＢがＳ１インタフェースのハンドオーバ要求（ＨＡＮＤＯＶＥＲ  ＲＥＱＵＩＲＥＤ）メッセージをアッセンブリしてＭＭＥに送信した。
【００５１】
ステップ５において、ＭＭＥがメッセージを受信した後、ＵＥ１がソースｅＮＢ側でｎ本のトレースを起動したと判断し、トレース識別子が１〜ｎであると、ＭＭＥが目的ｅＮＢに送信したハンドオーバ要求（ＨＡＮＤＯＶＥＲ  ＲＥＱＵＥＳＴ）メッセージにＴｒａｃｅ  Ａｃｔｉｖａｔｉｏｎ情報エレメントを記入し、この情報エレメントが配列形式に修正された後、トレース識別子が１〜ｎのｎ本のトレース配置情報を運んでもよい。
【００５２】
ステップ６において、目的ｅＮＢ側がＨＡＮＤＯＶＥＲ  ＲＥＱＵＥＳＴメッセージを受信した後、メッセージにＴｒａｃｅ  Ａｃｔｉｖａｔｉｏｎ情報エレメントを運ぶと判断し、それとともに情報エレメントにおけるパラメーター配置に応じて、トレース識別子が１〜ｎのｎ本のトレースを起動した。
【００５３】
ステップ７において、ＵＥ１が目的ｅＮＢにハンドオーバした。
【００５４】
（３）複数本のシグナルトレースに対応するユーザ装置がＳ１リンクをセットアップしなく、シグナルトレース情報はシグナルトレース起動（ＴＲＡＣＥ  ＳＴＡＲＴ）メッセージ又はコンテクストセットアップ要求（ＩＮＩＴＩＡＬ  ＣＯＮＴＥＸＴ  ＳＥＴＵＰ  ＲＥＱＵＥＳＴ）メッセージを含み、このシグナルトレース情報を送信するプロセスは、ＭＭＥがユーザ装置がＳ１リンクをセットアップして成功した場合にシグナルトレースメッセージをユーザ装置に対応する発展型基地局に送信し、ユーザ装置のシグナルトレースをアクティブにすることを含む。
【００５５】
付着態Ｓ１リンクをセットアップしないＵＥにとって、ＥＭがＭＭＥに対して複数本のトレースを配置した場合に、ＭＭＥがＵＥ  Ｓ１リンクをセットアップした時に、一本のメッセージ（ＴＲＡＣＥ  ＳＴＡＲＴ又はＩＮＩＴＩＡＬ  ＣＯＮＴＥＸＴ  ＳＥＴＵＰ  ＲＥＱＵＥＳＴ）をｅＮＢに送信するのみことによってすべてのトレースを起動し、Ｓ１インタフェースのシグナルインタラクション負担を低減し、システムの性能を向上させた。
【００５６】
好ましくは、シグナルトレース情報におけるトレースアクティブ（ＴＲＡＣＥ  Ａｃｔｉｖａｔｉｏｎ）情報エレメントフォーマットを配列の形式に設定して複数本のシグナルトレースに対応するシグナルトレース配置パラメーターを運ぶ。この方法は実現しやすく、且つ現有の情報フォーマットに対する修正が小さい。
【００５７】
図６は複数本のトレース下でのＵＥアクセスフローを示し、以下のステップを含む。
【００５８】
ステップ１において、この時、ＵＥ１がＥＭＭ＿ＲＥＧＩＳＴＥＲＥＤ（コアネットワークレジスタ）、ＲＲＣ＿ＩＤＬＥ（ＲＲＣアイドル）状態にあり、即ちコアネットワークがＵＥ１のコンテクスト情報を保存するが、このＵＥ１のｅＮＢからＭＭＥまでのＳ１ロジックリンクに存在しない。この場合に、ＥＭが配置をＭＭＥに出し、ＵＥ１に対するシグナルトレースを起動して要求し、且つ起動したトレース本数がｎ本（ｎ>１）であり、この配置がＵＥ１のＳ１ロジックリンクがセットアップした場合に、ＭＭＥからｅＮＢに出し、ｅＮＢ側で起動が有効にする。
【００５９】
ステップ２において、ＵＥ１がアクセスフローを開始した。
【００６０】
ステップ３において、ＭＭＥがｅＮＢに返したＩＮＩＴＩＡＬ  ＣＯＮＴＥＸＴ  ＳＥＴＵＰ  ＲＥＱＵＥＳＴメッセージにＴｒａｃｅ  Ａｃｔｉｖａｔｉｏｎ情報エレメントを運び、この情報エレメントを配列形式に修正した後、トレース識別子が１〜ｎのｎ本のトレース配置情報を運んでもよい。
【００６１】
ステップ４において、ｅＮＢ側がＩＮＩＴＩＡＬ  ＣＯＮＴＥＸＴ  ＳＥＴＵＰ  ＲＥＱＵＥＳＴメッセージを受信した後、メッセージにＴｒａｃｅ  Ａｃｔｉｖａｔｉｏｎ情報エレメントを運んだと判断し、それとともに情報エレメントにおけるパラメーター配置に応じて、トレース識別子が１〜ｎのｎ本のトレースを起動する。
【００６２】
ステップ３において、図６のフレームに示すように、ＭＭＥを介してｅＮＢにＴＲＡＣＥ  ＳＴＡＲＴメッセージを送信し、メッセージにトレース識別子が１〜ｎのｎ本のトレース配置情報を運び、同様な目的を達成する。
【００６３】
（４）複数本のシグナルトレースがあるセル下でアクティブされ、シグナルトレース情報がセルトレース（ＣＥＬＬ  ＴＲＡＦＦＩＣ  ＴＲＡＣＥ）メッセージであり、このシグナルトレース情報を送信するプロセスは、あるセルに対応する発展型基地局がセルトレースメッセージをＭＭＥに送信し、ＭＭＥがあるセル下でのユーザ装置のシグナルトレースをアクティブにすることを含む。
【００６４】
ＥＭが同一セルに配置した複数本のトレースがアクティブされた場合に、セルのすべての既に存在したＵＥ及び後続いてアクセスしたＵＥをアクティブにすることは、一本のみのＣＥＬＬ  ＴＲＡＦＦＩＣ  ＴＲＡＣＥメッセージをＭＭＥに送信することで、すべてのトレースを起動でき、Ｓ１インタフェースシグナルインタラクションを極めて低減する。
【００６５】
好ましくは、シグナルトレース情報におけるＥ−ＵＴＲＡＮトレースＩＤ（Ｅ−ＵＴＲＡＮ  ＴＲＡＣＥ  ＩＤ）及びシグナル収集実体のＩＰアドレス（Ｔｒａｃｅ  Ｃｏｌｌｅｃｔｉｏｎ  Ｅｎｔｉｔｙ  ＩＰ  Ａｄｄｒｅｓｓ）情報エレメントフォーマットを配列の形式に設定して複数本のシグナルトレースに対応するシグナルトレース配置パラメーターを運ぶ。この方法が実現しやすく、且つ現有の情報フォーマットに対する修正が小さい。
【００６６】
図７はセルが複数本のトレースを起動するフローを示し、以下のステップを含む。
【００６７】
ステップ１において、ＥＭがトレース配置をｅＮＢに出し、ｅＮＢ内のセル１に対してセルシグナルトレースを起動することを要求し、起動したトレース本数がｎ本（ｎ>１）である。
【００６８】
ステップ２において、ＵＥ１がセル１において既に存在したユーザであり、ｅＮＢがすぐにＣＥＬＬ  ＴＲＡＦＦＩＣ  ＴＲＡＣＥメッセージをＭＭＥに送信し、ＵＥ１のシグナルトレースを起動することを要求し、ＣＥＬＬ  ＴＲＡＦＦＩＣ  ＴＲＡＣＥメッセージにおけるＥ−ＵＴＲＡＮ  Ｔｒａｃｅ  ＩＤ及びＴｒａｃｅ  Ｃｏｌｌｅｃｔｉｏｎ  Ｅｎｔｉｔｙ  ＩＰ  Ａｄｄｒｅｓｓ情報エレメントフォーマットを配列形式に修正した後、トレース識別子が１〜ｎのｎ本のトレース配置情報を運んでもよい。
【００６９】
ステップ３において、ＭＭＥがＣＥＬＬ  ＴＲＡＦＦＩＣ  ＴＲＡＣＥメッセージを受信した後、メッセージにおける配置要求に応じて、トレース識別子が１〜ｎのｎ本のトレースを起動する。
【００７０】
ステップ４において、ＵＥ２が後続いてセル１にアクセスしたユーザであり、ｅＮＢがＣＥＬＬ  ＴＲＡＦＦＩＣ  ＴＲＡＣＥメッセージをＭＭＥに送信し、メッセージ内容及び後続きＭＭＥの処理プロセスが上述と同じであり、くどく述べない。
【００７１】
シグナルトレースをアクティブにする必要となる場合に、通常、ｅＮＢからＭＭＥにシグナルトレース情報を送信し、又はＭＭＥからｅＮＢにシグナルトレース情報を送信する。ハンドオーバの端末のシグナルトレースを維持する必要となる場合に、通常、ソースｅＮＢから目的ｅＮＢにシグナルトレース情報を送信し、又はＭＭＥから目的ｅＮＢにシグナルトレース情報を送信する。本実施例が提供した送信装置は以上ｅＮＢ及び／又はＭＭＥを含んでよく、図２は本発明実施例によるシグナルトレース情報の送信装置の構成ブロック図であり、この装置が、
シグナルトレース情報に複数本のシグナルトレースに対応するシグナルトレース配置パラメーターを運ぶための設定モジュール２２と、
設定モジュール２２に接続され、シグナルトレース情報を送信してシグナルトレースをアクティブにし又はシグナルトレースを維持するための送信モジュール２４と、を含む。
【００７２】
関連技術では、送信装置が送信したシグナルトレース情報が一本のみのシグナルトレースに対応するシグナルトレース配置パラメーターを運び、複数本のシグナルトレースが存在すると、複数本のシグナルトレース情報を送信する必要となり、Ｓ１インタフェースのシグナルインタラクション負担を増加し、本実施例が提供した装置が設定モジュール２２を介してシグナルトレースメッセージに複数本のシグナルトレースに対応するシグナルトレース配置パラメーターを運び、これで一本のみの情報によって現在複数本のシグナルトレースのパラメーターを受信端に通知することで、Ｓ１インタフェースのシグナルインタラクション負担を低減し、システムの性能を向上させた。
【００７３】
好ましくは、設定モジュール２２がシグナルトレース情報の情報エレメントフォーマットを配列の形式に設定することで、複数本のシグナルトレースに対応するシグナルトレース配置パラメーターを運ぶ。配列方式によって複数本のシグナルトレースに対応するシグナルトレース配置パラメーターを運ぶことは、実現が簡単で、情報のフォーマットを小さく修正する。
【００７４】
以上をまとめて、本実施例が提供したスキームは一本のメッセージによって同時に複数本のトレース情報を運び、Ｓ１インタフェースのシグナルインタラクション負担を低減し、システムの性能を向上させた。
【００７５】
なお、図面のフロー図が示したステップは例えば１セットのコンピューターでコマンドを実行可能なコンピューターシステムで実行でき、且つ、フロー図にロジック順序を示したが、ある場合に、この順序と異なっている順序で示した又は記載したステップを実行してもよい。
【００７６】
当業者にとって、上述の本発明の各モジュール又は各ステップは共通の計算装置によって実現することができ、単独の計算装置に集中させてもよいし、複数の計算装置から構成されるネットワークに分布させてもよく、或は計算装置が実行可能なプログラムのコードによって実現することもできるので、それらを記憶装置に記憶させて計算装置によって実行することができ、又はそれらの夫々をそれぞれ集積回路ブロックに製作し、又はそれらにおける複数のモジュール又はステップを単独の集積回路モジュールに製作して実現することができることは明らかなことである。このように、本発明は如何なる指定のハードウェアとソフトウェアの結合にも限定されない。
【００７７】
以上は本発明の好ましい実施例であり、本発明を限定するものではない。当業者であれば、本発明に、各種の変更と変化をもたらすことが可能である。本発明の精神と原則から逸脱しない範囲内で行われる如何なる変更や同等置換または改良などは、すべて本発明の保護範囲に含まれるものとする。
【図１】
2013522979.tif 000003
【図２】
2013522979.tif 000004
【図３】
2013522979.tif 000005
【図４】
2013522979.tif 000006
【図５】
2013522979.tif 000007
【図６】
2013522979.tif 000008
【図７】
2013522979.tif 000009
【国際調査報告】
2013522979.tif 000010
2013522979.tif 000011
2013522979.tif 000012
2013522979.tif 000013